(57)【要約】【課題】長時間患者の腕などに固定しても、痛みなどの苦痛や不快感を和らげることができるとともに、従来の固定具と同様に扱うことができる接続部材、固定具及び医療用具を提供すること。【解決手段】内筒（１２）と外筒（１１）を有し、内筒（１２）の内壁面に螺合部（１３）を形成し、内筒（１２）は硬質部材、外筒（１１）は軟質部材より形成した固定具（１０）。オスコネクタ（２）と固定具（１０）とメスコネクタ（１５）から構成され、前記固定具（１０）は、内筒（１２）と外筒（１１）を有し、内筒（１２）の内壁面に螺合部（１３）を形成し、内筒（１２）は硬質部材、外筒（１１）は軟質部材より形成した接続部材（１）。【選択図】図１
0003108900.tif 000002
【実用新案登録請求の範囲】
【請求項１】
内筒（１２）と外筒（１１）を有し、内筒（１２）の内壁面に螺合部（１３）を形成し、内筒（１２）は硬質部材、外筒（１１）は軟質部材より形成したことを特徴とする固定具（１０）。
【請求項２】
オスコネクタ（２）と固定具（１０）とメスコネクタ（１５）から構成され、
オスコネクタ（２）は、前方部にテーパー状突起部（３）、中間部に係止部（４）、後方部にチューブ接続部（７）を形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に係止部（１８）を形成し、
前記固定具（１０）は、内筒（１２）と外筒（１１）を有し、内筒（１２）の内壁面に螺合部（１３）を形成し、内筒（１２）は硬質部材、外筒（１１）は軟質部材より形成したことを特徴とする接続部材（１）。
【請求項３】
請求項１ないし請求項２に記載の固定具（１０）ないし接続部材（１）を含むことを特徴とする医療用具。
【考案の詳細な説明】
【技術分野】
【０００１】
本考案は、固定具（例えばルアーロック）と当該固定具を含む接続部材（例えばオスコネクタとメスコネクタ）の改良であり、患者の手や腕などに長時間固定しても、痛みなどの苦痛や不快感のない固定具、接続部材に関する。本考案の固定具、接続部材は、血液の体外循環回路、カテーテル類、輸液・輸血セット等の医療用具に使用される。
【背景技術】
【０００２】
図３は、現在使用されている接続部材５１とその使用状態図で、オスコネクタ５２とメスコネクタ６５を接合し、メスコネクタ６５の後方部に形成した係止部６８を固定具６０の内壁面に形成した螺合部６３に係止し、固定具６０を回転させて、内壁面に形成した螺合部６３により、接合部の外周から締め付けて固定するようにしている。
この接続部材５１で接続されたチューブＴは、一般的に例えば図４のように患者２１の腕や手等に直接テープ２２で固定して使用する。
しかし、通常、固定具６０は硬質の材料で成型・構成されているため、長時間の治療にかかる間、継続的に人体に固定していると、固定具６０そのものの硬さによって、固定部分あるいは接触部分において患者は痛みなどの苦痛や不快感を生じる。
【０００３】
そこで、治療時におけるこのような患者の苦痛を緩和するための発明として、特許文献１には、医療用コネクターの患者との接触面を平坦に形成することで、患者にテープ等で固定する際の違和感を軽減することができる医療用コネクターが記載されている。
しかしながら特許文献１に記載の医療用コネクターでは、特にオス型コネクターの形状・構造が複雑であることから、製造の際にはある程度の高度な技術を要し、ひいてはコスト高にも繋がることになる。
【０００４】
また特許文献２には、接続補助部材に固定具を収納し、患者には翼部ないし本体を固定することで固定具が直接腕に接することがないので、固定具による痛みや不快感を解消することができる医療用具が記載されているが、特許文献２に記載の医療用具の場合、構成上医療用具の接続補助部材を構成する部品点数が多くなることから、製造も煩雑になり、コスト高にも繋がる。
【０００５】
【特許文献１】特開２００２−１５９５７９（［請求項１１］、［００３７］、［００３８］）
【特許文献２】特願２００４−３１０２７４（［０００６］）
【考案の開示】
【考案が解決しようとする課題】
【０００６】
解決しようとする問題点は、固定具を患者の腕や手などに固定する際に、患者に痛みと不快感を与える点、さらに長時間の固定により腕などの皮膚に擦過傷を発生しやすい点である。
【課題を解決するための手段】
【０００７】
そこで本考案者は以上の課題を解決するために、鋭意検討を重ねた結果次の考案に到達した。
［１］本考案は、内筒（１２）と外筒（１１）を有し、内筒（１２）の内壁面に螺合部（１３）を形成し、内筒（１２）は硬質部材、外筒（１１）は軟質部材より形成した固定具（１０）を提供する。
［２］本考案は、オスコネクタ（２）と固定具（１０）とメスコネクタ（１５）から構成され、
オスコネクタ（２）は、前方部にテーパー状突起部（３）、中間部に係止部（４）、後方部にチューブ接続部（７）を形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に係止部（１８）を形成し、
前記固定具（１０）は、内筒（１２）と外筒（１１）を有し、内筒（１２）の内壁面に螺合部（１３）を形成し、内筒（１２）は硬質部材、外筒（１１）は軟質部材より形成した接続部材（１）を提供する。
［３］本考案は、［１］ないし［２］に記載の固定具（１０）ないし接続部材（１）を含む医療用具を提供する。
【考案の効果】
【０００８】
本考案の固定具１０は、外筒１１を軟質部材で形成しているので、長時間患者の腕などに固定しても、従来の固定具を使用する際に患者に与えていた痛みなどの苦痛や不快感を和らげることができる。
また硬質部材で形成した内筒１２の外周を、軟質部材で形成した外筒１１で被覆しているだけなので、従来の固定具と同様に扱うことができる。
【考案を実施するための最良の形態】
【０００９】
図１は本考案の固定具１０の概略図（断面図）、図２は図１の固定具１０を装着した接続部材１（オスコネクタ２とメスコネクタ１５を固定具１０で固定して接続した状態）の概略図（断面図）である。
【００１０】
本考案の固定具１０は、内筒１２と外筒１１を有し、内筒１２の内壁面に螺合部１３を形成し、内筒１２は硬質部材、外筒１１は軟質部材より形成している。
また接続部材１は、前記固定具１０とオスコネクタ２とメスコネクタ１５から構成される。オスコネクタ２は、前方部にテーパー状突起部３、中間部に係止部４、後方部にチューブ接続部７を形成している。また前記メスコネクタ１５は、後方部に前記オスコネクタ２のテーパー状突起部３が挿入可能なテーパー状管状体１７、前方部にチューブ接続部１６、後方部の外周に係止部１８を形成している。
【００１１】
固定具１０は、オスコネクタ２とメスコネクタ１５の接合部を外側から覆って固定するものであり、固定具１０の内筒１２の内壁面（内周）にはメスコネクタ１５の係止部１８と螺合するための螺合部１３が形成されている。メスコネクタ１５の係止部１８と固定具１０の螺合部１３は螺子状に螺合して固定する。螺合部１３は内筒１２の前方から略中腹部付近まで形成され、内筒１２の後方内壁面（内周）には、係止部１４が形成されている。
メスコネクタ１５の係止部１８と固定具１０の螺合部１３を、確実に螺合するために、内壁面（内周）に螺合部１３を形成した内筒１２は、従来の固定具と同様に、例えばポリカーボネート（ＰＣ）、アクリロニトリル−ブタジエン−スチレン共重合体（ＡＢＳ樹脂）等の硬質部材で形成する。一方、患者の皮膚に直接接触する外周（外筒１１）は、例えばポリ塩化ビニル（ＰＶＣ）、ポリエチレン（ＰＥ）、ゴム、エラストマー、シリコン等の軟質部材で形成する。
固定具１０は、内筒１２と外筒１１を前記材料を用いて例えば２色成形等により成形することができる。
【００１２】
固定具１０の外筒１１を軟質部材で構成することにより、患者の皮膚に直接触れる部分が柔らかいため、従来の固定具を比較すると、痛みや不快感などを感じることが格段に少なくなる。
また本考案の固定具１０と接続部材１は、形状としては従来の固定具と接続部材と同じものであるため、特に意識することなく従来のものと同様に扱うことができる。
また本考案の接続部材１を構成する、前記固定具１０とオスコネクタ２とメスコネクタ１５の形態は、図示したものに限定されず、要するにオスコネクタ２とメスコネクタ１５を接合し、メスコネクタ１５の後方部に形成した係止部１８を固定具１０の内壁面に形成した螺合部１３に係止し、固定具１０を回転させて、内壁面に形成した螺合部１３により、接合部の外周から締め付けて固定できる形態であれば何でも良い。
【図面の簡単な説明】
【００１３】
【図１】本考案の固定具の概略図（断面図）
【図２】図１の固定具を装着した接続部材（オスコネクタとメスコネクタを固定具で固定して接続した状態）の概略図
【図３】従来の接続部材の使用方法を示す概略図（断面図）
【図４】患者に接続部材を固定した状態図
【符号の説明】
【００１４】
１  接続部材
２  オスコネクタ
３  （前方部）テーパー状突起部
４  （中間部）係止部
７  （後方部）管状体（チューブ接続部）
１０  固定具（ルアーロック）
１１  外筒
１２  内筒
１３  螺合部
１５  メスコネクタ
１６  （前方部）管状体（チューブ接続部）
１７  （後方部）テーパー状管状体
１８  係止部
Ｔ    チューブ
【図１】
0003108900.tif 000003
【図２】
0003108900.tif 000004
【図３】
0003108900.tif 000005
【図４】
0003108900.tif 000006